(57)【要約】      （修正有）【課題】電子機器を電子機器用スタンドに装着した状態でも電子機器の音声を明瞭に静聴できるようにする電子機器用スタンドを提供する。【解決手段】基台２に電子機器３を係止するための係止溝４を形成して電子機器３を起立状態で保持する。係止溝４は、電子機器３に設けられた音声出力部と対向する位置に幅広かつ深底に形成した音響部６を設ける。また、音響部６は、側面を円弧状に形成し、底部に基台と異なる素材の反射板を着脱自在に装着する。【選択図】図１
0003164510.tif 000002
【実用新案登録請求の範囲】
【請求項１】
基台に電子機器を係止するための係止溝を形成して電子機器を起立状態で保持する電子機器用スタンドにおいて、
係止溝は、電子機器に設けられた音声出力部と対向する位置に幅広かつ深底に形成した音響部を設けたことを特徴とする電子機器用スタンド。
【請求項２】
前記音響部は、側面を円弧状に形成したことを特徴とする請求項１に記載の電子機器用スタンド。
【請求項３】
前記音響部は、底部に基台と異なる素材の反射板を着脱自在に装着したことを特徴とする請求項１又は請求項２に記載の電子機器用スタンド。
【考案の詳細な説明】
【技術分野】
【０００１】
本考案は、基台に電子機器を係止するための係止溝を形成して電子機器を起立状態で保持する電子機器用スタンドに関するものである。
【背景技術】
【０００２】
従来より、携帯端末装置や携帯電話機などの電子機器を卓上で使用するために、電子機器を起立状態で保持することができる電子機器用スタンドが利用されている（たとえば、特許文献１参照。）。
【０００３】
この電子機器用スタンドは、基台に電子機器を係止するための係止溝を傾斜状に形成し、係止溝に電子機器の下端部を挿入することで、電気機器を起立状態で保持するように構成している。
【先行技術文献】
【特許文献】
【０００４】
【特許文献１】特開平１１−２７３５８号公報
【考案の概要】
【考案が解決しようとする課題】
【０００５】
近年、電子機器の高機能化に伴い、電子機器にスピーカー（音声出力部）を設けて、電子機器で音声を聞くことができるようになっている。
【０００６】
ところが、上記従来の電子機器用スタンドでは、係止溝に電子機器の下端部を挿入する構造となっているために、電子機器の下端部に音声出力部が位置する場合には、電子機器の音声出力部が電子機器用スタンドの係止溝で塞がれてしまい、こもった音声となって静聴に堪えないものとなっていた。
【課題を解決するための手段】
【０００７】
そこで、請求項１に係る本考案では、基台に電子機器を係止するための係止溝を形成して電子機器を起立状態で保持する電子機器用スタンドにおいて、係止溝は、電子機器に設けられた音声出力部と対向する位置に幅広かつ深底に形成した音響部を設けることにした。
【０００８】
また、請求項２に係る本考案では、前記請求項１に係る本考案において、前記音響部は、側面を円弧状に形成することにした。
【０００９】
また、請求項３に係る本考案では、前記請求項１又は請求項２に係る本考案において、前記音響部は、底部に基台と異なる素材の反射板を着脱自在に装着することにした。
【考案の効果】
【００１０】
そして、本考案では、以下に記載する効果を奏する。
【００１１】
すなわち、本考案では、基台に電子機器を係止するための係止溝を形成して電子機器を起立状態で保持する電子機器用スタンドにおいて、係止溝は、電子機器に設けられた音声出力部と対向する位置に幅広かつ深底に形成した音響部を設けているために、電子機器に設けられた音声出力部を係止溝で塞いでしまうことがなく、音声がこもることなく明瞭に静聴することができる。
【００１２】
特に、音響部の側面を円弧状に形成した場合には、音声出力部から出力される音声を円弧状の側面で良好に反響させることができる。
【００１３】
また、音響部の底部に基台と異なる素材の反射板を着脱自在に装着することにした場合には、素材の異なる反射板を装着することで使用者の好みに応じた特性の音声とすることができる。
【図面の簡単な説明】
【００１４】
【図１】本考案に係る電子機器用スタンドを示す斜視図。
【図２】同平面図。
【図３】同正面断面図。
【図４】同側面断面図。
【考案を実施するための形態】
【００１５】
以下に、本考案に係る電子機器用スタンドの具体的な構成について、図面を参照しながら説明する。
【００１６】
図１〜図４に示すように、電子機器用スタンド１は、横長矩形板状の木製の基台２に電子機器３を係止するための係止溝４を形成し、係止溝４に電子機器３の下端部を挿入することで電子機器３を起立状態で保持するように構成している。なお、電子機器３は、携帯端末装置や携帯電話機などが該当し、ここでは、右下部に音声を出力するための音声出力部５（スピーカー）が形成されているものとする。
【００１７】
係止溝４は、基台２の上面において左右に直線状に伸延させた状態で電子機器３に応じて所定の幅及び所定の深さで上側後方に向けて傾斜状に形成している。
【００１８】
この係止溝４には、電子機器３を係止させた時に電子機器３の音声出力部５と対向する位置に音響部６を形成している。
【００１９】
音響部６は、係止溝４の幅よりも広く、係止溝４の深さよりも深くなるように形成している。
【００２０】
また、音響部６は、係止溝４よりも前方に張出した前方側面７を円弧状に形成するとともに、係止溝４よりも後方に張出した後方側面８を円弧状に形成し、底部９を円形状にしている。
【００２１】
そして、音響部６は、底部９に円板状の金属製の反射板10を着脱自在に装着している。なお、反射板10は、木製の基台２と異なる金属製としているが、基台２と反射板10との素材が異なれば、基台２や反射板10の素材はどのようなものでもよい。
【００２２】
音響部６は、係止溝４が傾斜状に形成されているのに対して直立状（円柱溝状）に形成し、しかも、平面視で真円形状に形成しており、円板状の反射板10の向きを気にすることなく上方から挿入することができるようになっている。
【００２３】
このように、電子機器用スタンド１は、電子機器３を係止して起立させるための係止溝４に、電子機器３に設けられた音声出力部５と対向する位置に幅広かつ深底に形成した音響部６を設けた構成となっている。
【００２４】
そのため、上記構成の電子機器用スタンド１では、電子機器３に設けられた音声出力部５を係止溝４で塞いでしまうことがなく、音声がこもることなく明瞭に静聴することができる。
【００２５】
また、上記電子機器用スタンド１は、音響部６の側面7,8を円弧状に形成した構成となっている。
【００２６】
そのため、上記構成の電子機器用スタンド１では、音声出力部５から出力される音声を円弧状の側面7,8で良好に反響させることができる。
【００２７】
さらに、上記電子機器用スタンド１は、音響部６の底部に基台２と異なる素材の反射板10を着脱自在に装着した構成となっている。
【００２８】
そのため、上記構成の電子機器用スタンド１では、素材の異なる反射板10を装着することで使用者の好みに応じた特性の音声とすることができる。
【符号の説明】
【００２９】
１  電子機器用スタンド
２  基台
３  電子機器
４  係止溝
５  音声出力部
６  音響部
7,8  側面
９  底部
10  反射板
【図１】
0003164510.tif 000003
【図２】
0003164510.tif 000004
【図３】
0003164510.tif 000005
【図４】
0003164510.tif 000006